(57)【要約】【課題】複合ソーシャルネットワーキングシステム及びその制御方法に関し、グローバルＳＮＳとローカルＳＮＳとの切替えを容易にする。【解決手段】特定のグループの利用者間のコミュニケーションを図るローカルＳＮＳと、複数のローカルＳＮＳに参加可能の総ての利用者間のコミュニケーションを可能とするグローバルＳＮＳとを提供する構成の複合ＳＮＳであって、利用者のローカルＳＮＳに参加する為のログインＩＤ及びパスワードと、利用者のグローバルＳＮＳに参加する為のログインＩＤ及びパスワードとを関連つけて管理するデータベースを含むサーバマシン４を備え、このサーバマシン４は、利用者がグローバルＳＮＳログインした後に、利用者が選択指定したローカルＳＮＳにログイン可能として制御する手段を備えている。【選択図】図２
2008027095.tif 000002
【特許請求の範囲】
【請求項１】
特定のグループの利用者間に於けるコミュニケーションを図るローカルソーシャルネットワーキングサービスと、複数の前記ローカルソーシャルネットワーキングサービスに参加している利用者間のコミュニケーションを可能とするグローバルソーシャルネットワーキングサービスとを提供する構成の複合ソーシャルネットワーキングシステムであって、
前記利用者のローカルソーシャルネットワーキングサービスに参加する為のログインＩＤ及びパスワードと、前記利用者のグローバルソーシャルネットワーキングサービスに参加する為のログインＩＤ及びパスワードとを関連つけて管理するサーバマシンを備え、
該サーバマシンは、前記利用者が前記グローバルソーシャルネットワーキングサービスにログインした後に前記ローカルソーシャルネットワーキングサービスにログイン可能として制御する手段を備えた
ことを特徴とする複合ソーシャルネットワーキングシステム。
【請求項２】
前記サーバマシンは、前記ローカルソーシャルネットワーキングサービスに参加可能の前記利用者のログインＩＤ及びパスワードと前記グローバルソーシャルネットワーキングサービスに参加可能の前記利用者のログインＩＤ及びパスワードとを管理する管理テーブルと、前記利用者が前記グローバルソーシャルネットワーキングサービスへの参加時と前記ローカルソーシャルネットワーキングサービスへの参加時とを識別可能とするＳＮＳ属性情報を、前記利用者のマシンのディスクに保持する構成とを備えていることを特徴とする請求項１記載の複合ソーシャルネットワーキングシステム。
【請求項３】
特定のグループの利用者間に於けるコミュニケーションを図るローカルソーシャルネットワーキングサービスと、単一又は複数の前記ローカルソーシャルネットワーキングサービスに参加している利用者間のコミュニケーションを可能とするグローバルソーシャルネットワーキングサービスとを提供する複合ソーシャルネットワーキングシステムの制御方法であって、
前記グローバルソーシャルネットワーキングサービスに参加する為のログインＩＤ及びパスワードと、前記ローカルソーシャルネットワーキングサービスに参加する為のログインＩＤ及びパスワードを管理するサーバマシンは、前記利用者が前記グローバルソーシャルネットワーキングサービスにログインした後に於いてのみ、前記ローカルソーシャルネットワーキングサービスにログイン可能とする制御過程を含む
ことを特徴とする複合ソーシャルネットワーキングシステムの制御方法。
【請求項４】
前記利用者が前記グローバルソーシャルネットワーキングサービスに参加している時と、前記ローカルソーシャルネットワーキングサービスに参加している時とのＳＮＳ属性情報を該利用者のマシンのディスクに保持して、前記サーバマシンは、該利用者のマシンのディスクに保持してある該ＳＮＳ属性情報を読出し、該ＳＮＳ属性情報に従って該利用者のマシンの画面の表示を制御処理する過程を含むことを特徴とする請求項３記載の複合ソーシャルネットワーキングシステム。
【発明の詳細な説明】
【技術分野】
【０００１】
本発明は、複数の閉ざされたコミュニケーション展開が可能なローカルソーシャルネットワーキングサービスと、それらを含む開かれたコミュニケーション展開が可能なグローバルソーシャルネットワーキングサービスとを連携させた複合ソーシャルネットワーキングシステム及びその制御方法に関する。
【背景技術】
【０００２】
インターネットを介したコミュニケーションサービスとして、例えば、掲示板、チャット（ｃｈａｔ）、ブログ（ｂｌｏｇ）、ソーシャルネットワーキングサービス（ＳＮＳ；Ｓｏｃｉａｌ  Ｎｅｔｗｏｒｋｉｎｇ  Ｓｅｒｖｉｃｅ）等が知られている。掲示板は、書込みと閲覧とが自由の場合が殆どであり、不特定多数の人々の情報提供及び閲覧を可能としている。又チャットは、二人又は多数の参加者間に於いて、リアルタイムでディスプレイ上に表示して会話的に通信するものである。又ブログは、不特定多数の人々に対する個人の情報発信のサービスとして急速に発展している。これらに対して、ソーシャルネットワーキングサービスは、一般的には、紹介によって参加可能とし、参加登録した者は、その後、知人等を紹介して参加させることが可能であって、順次拡大する組織形態であり、参加者のみが書込みや閲覧が可能のコミュニケーションサービスである。このようなソーシャルネットワーキングサービスの利用・運用規則（ポリシー）は、そのソーシャルネットワーキングサービスを提供するプロバイダーが定めて、利用者がそれに従う形態となっている。従って、異なる利用・運用規則（ポリシー）のソーシャルネットワーキングサービスを実現する為には、新たなサービスを立ち上げて、利用者がそれに参加する必要があった。従って、それぞれ異なる複数種類のソーシャルネットワーキングサービスが発生することになる。又それぞれ異なるソーシャルネットワーキングサービス相互間の関連性はなく、利用者は、利用目的等に対応したソーシャルネットワーキングサービスを選択して参加することになる。
【０００３】
又前述の掲示板、チャットのコミュニケーションツールを相互に連携させる為に、チャットページ等を一つの画面内に表示可能とし、ホームページ等による情報参照と、チャットページ等によるリアルタイムの情報交換とを可能とし、又正規の利用者であることを識別する為の認証手段を含む構成のインタラクティブコミュニケーションシステムが提案されている（例えば、特許文献１参照）。又不特定多数の利用者間で偶発的なコミュニケーションを可能とすると共に、不適切な利用者による参加を防止することを目的として、サーバ装置側で、チャット参加者候補となる利用者を所定の基準で選択し、その情報を、選択した利用者のクライアント装置に送信し、選択された中の利用者からのチャット開始要求により、サーバ装置から選択された利用者のクライアント装置にチャット開始の情報を送信し、それぞれのクライアント装置にチャット用領域を表示させるコミュニケーションシステムが提案されている（例えば、特許文献２参照）。
【０００４】
又携帯端末からの登録要求により、サーバに利用者の属性情報と共に登録し、登録利用者からの検索要求により、他の登録利用者についての検索結果を送信するソーシャルネットワークサービスシステムが提案されている（例えば、特許文献３参照）。又利用者端末の位置情報に基づいてイベント参加可能の利用者を抽出して、イベント開催に関する情報を送信し、それに対するコメント等の応答情報を収集し、収集した情報をイベントに対応つけて、各利用者にイベント参加可能状況等の一覧を通知するコミュニケーションシステムが提案されている（例えば、特許文献４参照）。
【特許文献１】特開平１１−１１０１７９号公報
【特許文献２】特開２００１−２２２４９８号公報
【特許文献３】特開２００６−２３８７６号公報
【特許文献４】特開２００６−７２８１２号公報
【発明の開示】
【発明が解決しようとする課題】
【０００５】
従来のコミュニケーションサービスを提供するソーシャルネットワーキングサービス（ＳＮＳ）は、前述のように、或る目的に応じたコミュニケーションサービスであり、従って、各種のポリシー対応に構成されているのが現状である。通常、利用者は、複数種類のソーシャルネットワーキングサービスの中から、利用目的等に対応して選択して参加を登録するもので、その後、或るソーシャルネットワーキングサービスに参加している時に、他のソーシャルネットワーキングサービスに参加する必要が発生した場合は、先のソーシャルネットワーキングサービスを終了してから、他のソーシャルネットワーキングサービスにあらためて参加する手続を行う必要があった。従って、異なるソーシャルネットワーキングサービス間の切替えは煩雑となる問題があった。
【０００６】
本発明は、前述の従来の問題点を解決するものであり、複数の異なるポリシーに対応した複数のソーシャルネットワーキングサービスを、ローカルソーシャルネットワーキングサービスとし、その複数のローカルソーシャルネットワーキングサービスに対して共通的なグローバルソーシャルネットワーキングサービスを基に、ローカルソーシャルネットワーキングサービスの切替えを容易にして、操作性の向上を図ることを目的とする。
【課題を解決するための手段】
【０００７】
本発明の複合ソーシャルネットワーキングシステムは、特定のグループの利用者間に於けるコミュニケーションを図るローカルソーシャルネットワーキングサービスと、複数の前記ローカルソーシャルネットワーキングサービスに参加可能の総ての利用者間のコミュニケーションを可能とするグローバルソーシャルネットワーキングサービスとを提供する構成の複合ソーシャルネットワーキングシステムであって、前記利用者のローカルソーシャルネットワーキングサービスに参加する為のログインＩＤ及びパスワードと、前記利用者のグローバルソーシャルネットワーキングサービスに参加する為のログインＩＤ及びパスワードとを関連つけて管理するサーバマシンを備え、該サーバマシンは、前記利用者が前記グローバルソーシャルネットワーキングサービスにログインした後に前記ローカルソーシャルネットワーキングサービスにログイン可能として制御する手段を備えている。
【０００８】
又前記サーバマシンは、前記ローカルソーシャルネットワーキングサービスに参加可能の前記利用者のログインＩＤ及びパスワードと前記グローバルソーシャルネットワーキングサービスに参加可能の前記利用者のログインＩＤ及びパスワードとを管理する管理テーブルと、前記利用者が前記グローバルソーシャルネットワーキングサービスへの参加時と前記ローカルソーシャルネットワーキングサービスへの参加時とを識別可能とする表示画面を、前記利用者の表示装置に表示させるＳＮＳ属性情報を前記利用者のディスクに保持している。
【０００９】
又本発明の複合ソーシャルネットワーキングシステムの制御方法は、特定のグループの利用者間に於けるコミュニケーションを図るローカルソーシャルネットワーキングサービスと、単一又は複数の前記ローカルソーシャルネットワーキングサービスに参加可能の総ての利用者間のコミュニケーションを可能とするグローバルソーシャルネットワーキングサービスとを提供可能とする複合ソーシャルネットワーキングシステムの制御方法であって、前記グローバルソーシャルネットワーキングサービスに参加する為のログインＩＤ及びパスワードと、前記ローカルソーシャルネットワーキングサービスに参加する為のログインＩＤ及びパスワードを管理するサーバマシンは、前記利用者が前記グローバルソーシャルネットワーキングサービスにログインした後に於いてのみ、前記ローカルソーシャルネットワーキングサービスにログイン可能とする制御過程を含むものである。
【００１０】
又前記利用者が前記グローバルソーシャルネットワーキングサービスに参加している時と、前記ローカルソーシャルネットワーキングサービスに参加している時とのＳＮＳ属性情報を該利用者のマシンのディスクに保持し、前記サーバマシンは、該利用者のマシンのディスクに保持してあるＳＮＳ属性情報を読出し、該ＳＮＳ属性情報に従って該利用者のマシンの画面の表示を制御処理する過程を含むものである。
【発明の効果】
【００１１】
特定のグループの利用者間に於けるコミュニケーションを図るローカルソーシャルネットワーキングサービスと、複数の前記ローカルソーシャルネットワーキングサービスに参加可能の総ての利用者間のコミュニケーションを可能とするグローバルソーシャルネットワーキングサービスとから構成し、利用者は、特定のグループに属する場合、その特定のグループ対応のローカルソーシャルネットワーキングサービスにログインして、その特定のグループ内のコミュニケーションを図り、又特定のグループに属する利用者は、総てグローバルソーシャルネットワーキングサービスに属するものとして管理されるから、異なるローカルソーシャルネットワークサービスに属する利用者間は、グローバルソーシャルネットワーキングサービスによりコミュニケーションを図ることができると共に、それぞれのメイン画面等により、グローバルソーシャルネットワーキングサービスとローカルソーシャルネットワーキングサービスの切替えが可能である。
【発明を実施するための最良の形態】
【００１２】
本発明の複合ソーシャルネットワーキングシステムは、図１及び図２を参照して説明すると、特定のグループの利用者間に於けるコミュニケーションを図るローカルソーシャルネットワーキングサービス（ローカルＳＮＳ１、ローカルＳＮＳ２）と、複数の前記ローカルソーシャルネットワーキングサービスに参加可能の総ての利用者間のコミュニケーションを可能とするグローバルソーシャルネットワーキングサービス（グローバルＳＮＳ）とを提供する構成の複合ソーシャルネットワーキングシステム（複合ＳＮＳ）であって、利用者のローカルソーシャルネットワーキングサービスに参加する為のログインＩＤ及びパスワードと、利用者のグローバルソーシャルネットワーキングサービスに参加する為のログインＩＤ及びパスワードとを関連つけて管理するサーバマシン４を備え、該サーバマシン４は、利用者がグローバルソーシャルネットワーキングサービスにログインした後にローカルソーシャルネットワーキングサービスにログイン可能として制御する手段を備えている。
【００１３】
本発明の複合ソーシャルネットワーキングシステムの制御方法は、特定のグループの利用者間に於けるコミュニケーションを図るローカルソーシャルネットワーキングサービス（ローカルＳＮＳ１、ローカルＳＮＳ２）と、複数の前記ローカルソーシャルネットワーキングサービスに参加可能の総ての利用者間のコミュニケーションを可能とするグローバルソーシャルネットワーキングサービス（グローバルＳＮＳ）とを提供可能とする複合ソーシャルネットワーキングシステムの制御方法であって、グローバルソーシャルネットワーキングサービスに参加する為のログインＩＤ及びパスワードと、ローカルソーシャルネットワーキングサービスに参加する為のログインＩＤ及びパスワードを管理するサーバマシン４は、利用者がグローバルソーシャルネットワーキングサービスにログインした後に於いてのみ、選択した所望のローカルソーシャルネットワーキングサービスにログイン可能とする制御過程を含むものである。
【実施例１】
【００１４】
図１は、本発明の実施例１の概要説明図であり、複合ソーシャルネットワーキングサービスシステムは、グローバルＳＮＳ（以下、ソーシャルネットワーキングサービスを「ＳＮＳ」と略称する）の中に、複数種類のポリシー等に対応した複数のローカルＳＮＳ１，ローカルＳＮＳ２を含む構成として、複合ＳＮＳシステムとする。なお、更に多数のローカルＳＮＳを構成することも可能である。又グローバルＳＮＳは、開かれたコミュニケーションを提供可能とし、ポリシーは、例えば、入会は招待制、個人プロフィールは任意公開、退会は任意などとすることができる。又ローカルＳＮＳ１，ＳＮＳ２は、特定のグループ内のように、閉じたコミュニケーションを提供するもので、ポリシーとして、例えば、入会は許可制、個人プロフィールは完全公開、退会は資格喪失時などとすることができる。又ローカルＳＮＳ１，ＳＮＳ２に所属する利用者は、総てグローバルＳＮＳにも所属するものとして管理する。
【００１５】
ローカルＳＮＳに所属する利用者は、許可された利用者のみであり、個人プロフィールも完全公開とするポリシーにより、書込み内容は、そのローカルＳＮＳに所属する利用者のみが閲覧可能となり、ローカルＳＮＳ所属の特定グループ内の利用者間の閉じたコミュニケーションとすることができる。又そのローカルＳＮＳに所属する利用者は、総てグローバルＳＮＳにも所属するもので、他のローカルＳＮＳに所属する利用者を含めて、グローバルＳＮＳにより広範囲のコミュニケーションを図ることができる。又グローバルＳＮＳを基に、ローカルＳＮＳの切替えを可能とする。このような複合ＳＮＳを、図示を省略したサーバマシンにより管理、運用し、且つ各ローカルＳＮＳに所属する利用者の情報を管理し、その利用者の要求により、グローバルＳＮＳとローカルＳＮＳとの切替えを行う。又利用者に対しては、表示画面上で、現在のＳＮＳが、グローバルかローカルかを容易に識別可能とするように制御処理する。
【００１６】
図２は、本発明の実施例１の説明図であり、１は利用者マシン、２はインターネット、３はファイアウォール、４はサーバマシンを示し、利用者マシン１は、インターネット２に接続できるコンピュータであり、表示装置５と、ディスク６と、ブラウザ７とを含む構成を有する場合を示す。なお、ディスク６は、他の記憶手段とすることも可能であり、又利用者が操作するマシン１は、複数存在するものであるが、他の利用者のマシンは図示を省略している。又サーバマシン４は、インターネット２にファイアウォール３を介して接続した場合を示すコンピュータであり、Ｗｅｂサーバ８とＤＢサーバ９とを含む構成を有し、Ｗｅｂサーバ８は、利用者マシン１との間の通信を制御する通信部１０、ＳＮＳ参加の利用者がログイン時に入力したパスワード等を認証する利用者認証部１１、グローバルＳＮＳとローカルＳＮＳとを切替えるＳＮＳ切替部１２、利用者に提供する画面の遷移制御を行う画面制御部１３、ＳＮＳの利用者の情報を管理する利用者情報管理部１４、利用者の氏名や所属等登録制御を行う利用者情報処理部１５等の手段を含む構成を有し、又ＤＢサーバ９は、利用者情報テーブル１６、グローバルＳＮＳ管理テーブル１７、ローカルＳＮＳ管理テーブル１８、ＳＮＳ属性テーブル１９等を含む構成を有する場合を示す。
【００１７】
図３は、本発明の実施例１の利用者マシンとサーバマシンとの説明図であり、利用者マシン１は、図２に示す構成と同様に、表示装置５とブラウザ７とディスク６とを含み、６ａはディスクアクセス部、６ｂはディスクに保持したＳＮＳ属性情報の一例を示す。又サーバマシン４のデータベース２３は、図２に於けるＤＢサーバ９に相当し、利用者情報テーブル１６には、例えば、利用者キーと、氏名と、ニックネームと、性別と、誕生日等の利用者の個人情報を格納し、グローバルＳＮＳ管理テーブル１７には、例えば、利用者キー、ログインＩＤ、パスワード等を利用者対応に格納する。又ローカルＳＮＳ管理テーブル１８には、利用者キーとログインＩＤと、パスワードと所属ローカルＳＮＳ名等を利用者対応に格納し、ＳＮＳ属性テーブル１９には、ＳＮＳキーと、ＳＮＳ名と、招待方法と、背景色と、背景模様等を格納する。
【００１８】
利用者がグローバルＳＮＳに参加している時と、ローカルＳＮＳに参加している時とのそれぞれのＳＮＳ属性情報を、サーバマシン４から転送して、利用者マシン１のディスク６に保持し、サーバマシン４は、この利用者マシン１からの要求を受信すると、サーバマシン４は、利用者マシン１のディスク６に保持してあるＳＮＳ属性情報６ｂを読出し、このＳＮＳ属性情報に従って、利用者マシン１の表示装置５の画面の表示を制御処理するもので、利用者マシン１のディスク６に保持するＳＮＳ属性情報６ｂは、サーバマシン４のＳＮＳ属性テーブル１９のＳＮＳキーとするか、又は図示のようなＳＮＳ名「グローバル」、招待方法「招待制」、背景色「青」、背景模様「縦縞」等を含む情報とすることができる。通常は、少ない情報量のＳＮＳキーをＳＮＳ属性情報として、利用者マシン１のディスク６に保持させる構成とするのが一般的であり、サーバマシン４は、ＳＮＳ属性テーブル１９をＳＮＳキーにより検索して、利用者マシン１による参加中のＳＮＳ対応の表示画面とする表示情報を形成して送信することができる。
【００１９】
従って、グローバルＳＮＳに参加した加入者マシン１の表示装置５には、背景色が青、背景模様が縦縞となる画面が表示される。又ローカルＳＮＳ１に参加した場合は、背景色がピンク、背景模様が横点線となる画面が表示される。それにより、利用者は、表示画面の背景色や背景模様によって、現在参加しているのが、どのＳＮＳかを容易に識別することができる。又ＳＮＳ属性情報を利用者マシン１のディスク６に保持し、サーバマシン４は、その利用者マシン１からの要求により、ディスク６に保持されているＳＮＳ属性情報を読出し、そのＳＮＳ属性情報に対応した背景色や背景模様の表示情報を形成して、利用者マシン１に送出するから、サーバマシン４は、ＳＮＳ参加の利用者マシン１に関する総ての情報を蓄積しておく必要がなく、構成及び制御処理内容の簡単化をはかることができる。
【００２０】
図４は、本発明の実施例１の利用者マシンの表示装置に表示するメイン画面の説明図であり、（Ａ）はグローバルＳＮＳのメイン画面、（Ｂ）はローカルＳＮＳのメイン画面を示し、それぞれのメイン画面には、「最新情報」、「最近日記」、「プロフィール変更」、「退会」、「ログアウト」等の基本的な機能があり、又（Ａ）のグローバルＳＮＳのメイン画面には、「ローカルＳＮＳ一覧」と、「ローカルＳＮＳへログイン」との機能がある。グローバルＳＮＳ及びローカルＳＮＳのメイン画面の背景色と背景模様とが、図３に示すＳＮＳ属性テーブル１９の内容に従って表示される。又グローバルＳＮＳとローカルＳＮＳとの切替えは、メイン画面に於いて、ログインＩＤやパスワードを使い分けることにより、簡単に行うことができる。
【００２１】
図５は、本発明の実施例１のグローバルＳＮＳとローカルＳＮＳとの切替操作の説明図であり、先ず、利用者は、グローバルＳＮＳのログインＩＤとパスワードとを入力して、グローバルＳＮＳにログインし（Ａ１）。グローバルＳＮＳへ参加する（Ａ２）。このグローバルＳＮＳにログインすることにより、サーバマシン４のデータベース２３（図３参照）のＳＮＳ属性テーブル１９から、ＳＮＳキーの情報又はＳＮＳ名「グローバル」を含むＳＮＳ属性情報が、利用者マシン１に転送され、ディスク６に、ＳＮＳ属性情報６ｂとして示すように、ＳＮＳ名「グローバル」、招待方法「招待制」、背景色「青」、背景模様「縦縞」として保持する。なお、ＳＮＳ属性情報として、前述のように、ＳＮＳキーの情報を、利用者マシン１のディスク６に保持することもできる。このＳＮＳ属性情報を基にサーバマシン４に於いて表示情報が形成されて利用者マシン１に送信されるから、利用者マシン１の表示装置５には、図４の（Ａ）に示すようなＳＮＳ属性に従ったメイン画面が表示される。
【００２２】
このグローバルＳＮＳの利用を継続した後、ログアウトの操作により終了となるが、所望のローカルＳＮＳへ参加する場合は、図４の（Ａ）のグローバルＳＮＳのメイン画面のローカルＳＮＳ一覧を参照し、又は記憶しているローカルＳＮＳを選択し（Ａ３）、そのローカルＳＮＳに対するログインＩＤとパスワードとを入力する。サーバマシン４は、データベースのローカルＳＮＳ管理テーブル１７を参照して、入力されたログインＩＤとパスワードとを照合し、一致した場合、ローカルＳＮＳへの参加を許可する（Ａ４）。この場合、サーバマシン４のデータベース２３のＳＮＳ属性テーブル１９から、ＳＮＳキー又はローカルＳＮＳ名と背景色と背景模様とを含むＳＮＳ属性の情報が、利用者マシン１に転送され、ディスク６のＳＮＳ属性情報６ｂとして保持する。サーバマシン４は、利用者マシン１からの要求に従って、ディスク６に保持したＳＮＳ属性情報６ｂを読出して、そのＳＮＳ属性情報を基に表示情報を形成して利用者マシン１に送信する。従って、利用者マシン１の表示装置５には、図４の（Ｂ）に示すような選択してログインしたローカルＳＮＳ対応のメイン画面が表示される。このように、利用者マシン１の表示装置５には、グローバルＳＮＳとそれぞれのローカルＳＮＳとを、背景色や背景模様が異なるメイン画面として表示することができるから、利用者は、選択して参加したＳＮＳを容易に識別することができる。又グローバルＳＮＳからログアウトにより、ＳＮＳ属性情報６ｂは消去される。
【００２３】
ローカルＳＮＳのログアウトにより、最初のグローバルＳＮＳに戻る。即ち、一旦グローバルＳＮＳへ参加した後に、所望のローカルＳＮＳを選択してログインし、ローカルＳＮＳのログアウトは、一旦グローバルＳＮＳに戻ってから、グローバルＳＮＳのログアウトの操作を行う。又或るローカルＳＮＳへ参加してから、他のローカルＳＮＳへ参加する場合も一旦グローバルＳＮＳに戻ってから、選択したローカルＳＮＳに対するログイン操作を行うものである。
【００２４】
図６は、本発明の実施例１のステップ（Ｂ１）〜（Ｂ１０）によるフローチャートであり、図７の（Ａ）〜（Ｄ）は、そのフローチャートに従った切替操作画面を示す。グローバルＳＮＳへのログイン（Ｂ１）は、図７の（Ａ）に示すログイン画面を利用者マシン１（図２及び図３参照）の表示装置５に表示し（Ｂ２）、グローバルＳＮＳのログインＩＤとパスワードとを入力する（Ｂ３）。サーバマシン４（図３参照）は、利用者マシン１からのログインＩＤとパスワードとを、データベースを参照して、ログインＯＫとすると、利用者マシン１のディスク６に、「グローバルＳＮＳ属性情報」保存として示すように、ＳＮＳ属性情報を保持する。この場合のグローバルＳＮＳ属性は、図３のＳＮＳ属性テーブル１９に示すＳＮＳキー或いはＳＮＳ名「グローバル」、招待方法「招待制」、背景色「青」、背景模様「縦縞」とすることができる。このＳＮＳ属性情報に従った表示情報をサーバマシン４に於いて形成するから、図７の（Ｂ）に示すグローバルＳＮＳのメイン画面を表示装置５に表示する（Ｂ４）。
【００２５】
このグローバルＳＮＳからログアウトすると（Ｂ５）、ディスク６に保存した「グローバルＳＮＳ属性情報」を消去する。又グローバルＳＮＳのメイン画面からローカルＳＮＳへログインするボタンの押下により（Ｂ６）、図７の（Ｃ）に示すローカルＳＮＳへのログイン画面が表示される（Ｂ７）。このログイン画面により、ローカルＳＮＳ名を選択し、ログインＩＤとパスワードとを入力する（Ｂ８）。サーバマシン４は、データベースを参照して、ログインＯＫとすると、利用者マシン１のディスク６に、「ローカルＳＮＳ属性情報」を保存として示すように、ＳＮＳ属性情報を保持する。この場合のローカルＳＮＳ属性は、図３のＳＮＳ属性テーブル１９に示すように、ＳＮＳ名「ローカル１」とすると、ＳＮＳキー「２」として保持するか、又は招待方法「会員制」、背景色「ピンク」、背景模様「横点線」として保持する。このＳＮＳ属性情報を基に、サーバマシン４に於いて表示情報を形成するから、図７の（Ｄ）に示すローカルＳＮＳのメイン画面を利用者マシン１の表示装置５に表示する（Ｂ９）。
【００２６】
このローカルＳＮＳからログアウトすると（Ｂ１０）、利用者マシン１のディスク６のローカルＳＮＳ属性情報を消去して、グローバルＳＮＳ属性情報を保存し、図７の（Ｂ）に示すグローバルＳＮＳのメイン画面を表示する（Ｂ４）。このグローバルＳＮＳのメイン画面表示からログアウト（Ｂ５）とするか、又は他のローカルＳＮＳへのログイン操作を行うことができる。
【００２７】
図８は、利用者情報の管理の説明図であり、（Ａ）は複合ＳＮＳの概要を示し、サーバマシン４のデータベースに構成したグローバルＳＮＳ管理テーブル１７と、ローカルＳＮＳ管理テーブル１８と、利用者管理テーブル１６とを、図８の（Ｂ）〜（Ｄ）に示す。複合ＳＮＳのグローバルＳＮＳのみの利用者Ａと、ローカルＳＮＳのローカル１の利用者Ｂ，Ｃと、ローカル２の利用者Ｂ，Ｄと、ローカル３の利用者Ｅとが存在する場合、グローバルＳＮＳ管理テーブル１７は、利用者Ａ〜Ｅは総てグローバルＳＮＳを利用できるものであるから、利用者対応に、利用者キーと、ログインＩＤと、パスワードとを含む情報が登録されている。又ローカルＳＮＳ管理テーブル１８は、ローカルＳＮＳ対応に、利用者キーと、ログインＩＤと、パスワードと、有効期限等の情報が登録されている。このローカルＳＮＳは、招待方法として会員制とした場合を示すから、参加を許可した利用者対応に会員資格の有効期限を設定することができる。
【００２８】
又利用者管理テーブル１６は、利用者キーと、氏名と、ニックネームと、性別と、誕生日とを含む場合を示すが、更に職種や住所等についても登録して管理することができる。利用者プロフィールは、ローカルＳＮＳに参加する利用者に対するポリシーとして、所属するローカルＳＮＳ内のみ利用者プロフィールを公開とすることができる。それにより、ローカルＳＮＳ内の相互の信頼性を高めることができる。又利用者キーの結合により、利用者がグローバルＳＮＳにのみ所属するか否か、又利用者の所属するローカルＳＮＳについて容易に把握することができる。
【００２９】
図９は、本発明の実施例１の利用者のプロフィールを変更する場合（Ａ）と、退会する場合（Ｂ）との操作を説明するもので、（Ａ）に示すプロフィールの変更は、グローバルＳＮＳ又はローカルＳＮＳへログインして、図４の（Ａ），（Ｂ）に示すメイン画面のプロフィール変更のボタンを押下することにより、図９の右側に示すように、氏名と、ニックネームと、性別と、趣味と、職種とを含むプロフィール設定の画面を、利用者マシン１の表示装置５（図２又は図３参照）に表示させる。このプロフィール設定の画面により、利用者のプロフィールを変更して、保存ボタンを押下することにより、プロフィールの変更が完了する。
【００３０】
又図９の（Ｂ）に示す退会手続きは、グローバルＳＮＳ又はローカルＳＮＳにログインして、図４の（Ａ），（Ｂ）に示すメイン画面の退会のボタンを押下することにより、右側に示す退会手続きの画面が利用者マシン１の表示装置５に表示される。この退会手続きの画面で、ログインＩＤとパスワードとをあらためて入力し、退会ボタンを押下することにより、サーバマシン４は、予め登録されているログインＩＤとパスワードとが照合一致の場合に、退会の意思表示であると判定して、サーバマシン４のデータベースから削除して、退会手続きを完了する。
【００３１】
又グローバルＳＮＳ及びローカルＳＮＳへの新規登録は、例えば、グローバルＳＮＳに対しては、既に知られているＳＮＳへの登録と同様に、グローバルＳＮＳに所属する利用者や管理者からの招待メールの受信を基に行うことができる。又ローカルＳＮＳに対しては、ポリシーとして許可制をとっている場合、管理者からの許可メール受信を基に行うことができる。この場合、ローカルＳＮＳに新規登録手続を行う前に、グローバルＳＮＳに新規登録する順序とし、それぞれグローバルＳＮＳ用のログインＩＤ及びパスワードと、ローカルＳＮＳ毎のログインＩＤ及びパスワードとが、サーバマシン４により管理される。又特定グループ毎に形成するローカルＳＮＳとして、例えば、特別なプロジェクトを構成する場合に、そのプロジェクト参加者をローカルＳＮＳに参加させて、閉じたグループ内の相互のコミュニケーションを図ることができる。又他の複数のプロジェクトのそれぞれの参加者も同様に、それぞれのローカルＳＮＳに参加させ、異なるプロジェクト参加者間は、グローバルＳＮＳによって相互のコミュニケーションを図るシステムとすることも可能である。或いは、特定グループとして、企業毎の内部のコミュニケーションを図るローカルＳＮＳと、企業間のコミュニケーションを図るグローバルＳＮＳとからなる複合ＳＮＳを構成することも可能である。
【図面の簡単な説明】
【００３２】
【図１】本発明の実施例１の概要説明図である。
【図２】本発明の実施例１の説明図である。
【図３】本発明の実施例１の利用者マシンとサーバマシンとの説明図である。
【図４】本発明の実施例１のメイン画面の説明図である。
【図５】本発明の実施例１の切替操作の説明図である。
【図６】本発明の実施例１のフローチャートである。
【図７】本発明の実施例１の切替操作画面の説明図である。
【図８】本発明の実施例１の利用者情報の管理の説明図である。
【図９】本発明の実施例１のプロフィール変更及び退会の説明図である。
【符号の説明】
【００３３】
１  利用者マシン
２  インターネット
３  ファイアウォール
４  サーバマシン
５  表示装置
６  ディスク
７  ブラウザ
８  Ｗｅｂサーバ
９  ＤＢサーバ
【図１】
2008027095.tif 000003
【図２】
2008027095.tif 000004
【図３】
2008027095.tif 000005
【図４】
2008027095.tif 000006
【図５】
2008027095.tif 000007
【図６】
2008027095.tif 000008
【図７】
2008027095.tif 000009
【図８】
2008027095.tif 000010
【図９】
2008027095.tif 000011